(57)【要約】【課題】上枠部材の下面に取付けられたナット部材に吊上げ用のボルト部材を容易且つスムーズに締着固定して、住宅ユニットの吊上げ作業を迅速に行うことを可能にするユニット吊上げ金具を提供する。【解決手段】住宅ユニット１０に取り付けて当該住宅ユニット１０を吊上げる際に使用するユニット吊上げ金具１４であって、住宅ユニット１０を構成する上枠部材１６の下面に沿って設けられ、ナット部材２３が一体固定されたベースプレート部材２４と、下方雄ネジ部２５及び上方雄ネジ部１８を有し、下方雄ネジ部２５をナット部材２３に螺合して上方雄ネジ部１８を上枠部材１６の上方に突出させる両ネジボルト部材１７とからなり、且つ下方雄ネジ部２５のネジ径が上方雄ネジ部１８のネジ径よりも大きくなっていると共に、上方雄ネジ部１８のネジ径がナット部材２３のネジ孔に遊嵌挿通できる大きさとなっている。【選択図】　　　　図４
2004124396.tif 000002
【特許請求の範囲】
【請求項１】
住宅ユニットに取り付けて当該住宅ユニットを吊上げる際に使用するユニット吊上げ金具であって、
前記住宅ユニットを構成する上枠部材の下面に沿って設けられ、ナット部材が一体固定されたベースプレート部材と、下方雄ネジ部及び上方雄ネジ部を有し、下方雄ネジ部を前記ナット部材に螺合して前記上方雄ネジ部を前記上枠部材の上方に突出させる両ネジボルト部材とからなり、
且つ前記下方雄ネジ部のネジ径が前記上方雄ネジ部のネジ径よりも大きくなっていると共に、前記上方雄ネジ部のネジ径が前記ナット部材のネジ孔に遊嵌挿通できる大きさとなっていることを特徴とするユニット吊上げ金具。
【請求項２】
前記両ネジボルト部材の下方雄ネジ部と上方雄ネジ部とが逆ネジとなっている請求項１記載のユニット吊上げ金具。
【請求項３】
前記ベースプレート部材は、これの端縁部からＬ字形状に垂直に折曲がって延設される垂直プレート部を備え、前記ベースプレート部材は、前記住宅ユニットの縦枠部材の上端部側面に前記垂直プレート部を添設固定しつつ、前記上枠部材の下面に沿って設けられる請求項１又は２に記載のユニット吊上げ金具。
【請求項４】
前記ベースプレート部材の垂直プレート部が垂直に折曲がって接合された状態を補強する垂直補強リブが、前記ベースプレート部材の側縁部と前記垂直プレート部の側縁部とに跨って取り付けられている請求項３に記載のユニット吊上げ金具。
【請求項５】
前記両ネジボルト部材の前記下方雄ネジ部よりも上方部分には、前記下方雄ネジ部が前記ナット部材に螺合される前の状態において、前記上方雄ネジ部を前記ネジ孔に遊嵌挿通した前記両ネジボルト部材の落下を防止する、係止部材が取り付けられている請求項１〜４のいずれかに記載のユニット吊上げ金具。
【請求項６】
請求項１〜５のいずれかに記載のユニット吊上げ金具を用いた吊上げ構造であって、
前記住宅ユニットを構成する上枠部材の下面に沿って設けられた前記ベースプレート部材に一体固定されたナット部材のネジ孔に、前記両ネジボルト部材の上方雄ネジ部を下方から挿入して、前記下方雄ネジ部を前記ナット部材に螺合することにより、前記上方雄ネジ部を前記上枠部材の上方に突出させ、
該上枠部材の上方に突出させた上方雄ネジ部に吊上げ係止部材を取り付けて、該吊上げ係止部材を介して住宅ユニットを吊上げることを特徴とするユニット吊上げ構造。
【請求項７】
前記ナット部材のネジ孔に前記両ネジボルト部材の上方雄ネジ部を下方から挿入すると共に、前記下方雄ネジ部を前記ナット部材に螺合することなく且つ前記両ネジボルト部材が落下しないように係止した状態で、前記住宅ユニットを建築施工現場に搬入し、前記上枠部材の上方から前記上方雄ネジ部を引き上げつつ前記下方雄ネジ部を前記ナット部材に螺合することにより、前記上方雄ネジ部を前記上枠部材の上方に突出させる請求項６記載のユニット吊上げ構造。
【発明の詳細な説明】
【０００１】
【発明の属する技術分野】
本発明は、住宅ユニットに取り付けて当該住宅ユニットを吊上げる際に使用するユニット吊上げ金具、及び該吊上げ金具を用いたユニット吊上げ構造に関する。
【０００２】
【従来の技術】
近年、住宅建築物の施工の迅速化や高精度化を図るべく、予め工場等で形成された複数の住宅ユニットを建築施工現場で組み立てて構築するユニット住宅が開発されている。このようなユニット住宅においては、形成された各住宅ユニットを例えば運送用のトラック等に積み込んで建築施工現場に搬入し、例えばクレーン等の吊り上げ用の重機を用いて吊り上げて、他の住宅ユニットと共に接合一体化することによって組み立てる。
【０００３】
一方、建築施工現場に搬入された住宅ユニットの吊上げ作業は、一般に、ユニット住宅を構成する壁枠組や床枠組等の枠組部材の適宜箇所に取付け金物を介して固定されたナット部材に、アイボルトの先端雄ネジ部を螺合することによって当該アイボルトを締着固定し、このアイボルトのリング状の頭部に吊り上げ用のワイヤ等を係止して吊上げることによって行われていた（例えば、特許文献１、特許文献２、特許文献３参照）。
【０００４】
【特許文献１】
特開平５−１４１００３号公報（図１）
【特許文献２】
特開平９−７８８４０号公報（図１〜図５）
【特許文献３】
特開２００２−３８６０１号公報（図３〜図７、図１２、図１３）
【０００５】
【発明が解決しようとする課題】
上記従来のアイボルトによる吊上げ構造では、建築施工現場において住宅ユニットの壁枠組や床枠組等に固定されたナット部材にアイボルトを締着固定する作業に手間がかかり、迅速に吊上げ作業を行うことが困難だった。すなわち、ナット部材は、取付け金物を介して、吊上げ時の荷重を支持するのに効果的な、住宅ユニットの上部に配置される上枠部材の下面や、下部に配置される下枠部材の下面等に沿って配置される場合が多く、このように配置されたナット部材に対して、上枠部材や下枠部材の上方から、当該上枠部材や下枠部材を貫通して形成したボルト挿通孔を経てアイボルト等のボルト部材の下端を締着固定する作業は、見えない所でボルト部材の下端を螺合する作業となるため、スムーズにボルト部材を取り付けてゆくことが困難である。
【０００６】
また、工場等における住宅ユニットの製作時に、予めアイボルト等のボルト部材の下端をナット部材に螺合させて取り付けておき、建築施工現場における吊上げ用のボルト部材の取付け作業を省略させることも考えられるが、上枠部材から上方に突出するボルト部材の上端部分によって、住宅ユニットの高さ制限が制約されることになり、効率の良い高さで住宅ユニットを製作することが困難になると共に、ボルト部材の上端部分が運搬時に破損するおそれがある。
【０００７】
本発明は、このような従来の課題に着目してなされたものであり、上枠部材の下面に取付けられたナット部材に吊上げ用のボルト部材を容易且つスムーズに締着固定して、住宅ユニットの吊上げ作業を迅速に行うことを可能にするユニット吊上げ金具及びユニット吊上げ構造を提供することを目的とする。
【０００８】
また、本発明は、住宅ユニットの高を制約することなく、吊上げ用のボルト部材を住宅ユニットに予め取付けて住宅ユニットを運搬することを可能にするユニット吊上げ金具及びユニット吊上げ構造を提供することを目的とする。
【０００９】
【課題を解決するための手段】
本発明は、住宅ユニットに取り付けて当該住宅ユニットを吊上げる際に使用するユニット吊上げ金具であって、前記住宅ユニットを構成する上枠部材の下面に沿って設けられ、ナット部材が一体固定されたベースプレート部材と、下方雄ネジ部及び上方雄ネジ部を有し、下方雄ネジ部を前記ナット部材に螺合して前記上方雄ネジ部を前記上枠部材の上方に突出させる両ネジボルト部材とからなり、且つ前記下方雄ネジ部のネジ径が前記上方雄ネジ部のネジ径よりも大きくなっていると共に、前記上方雄ネジ部のネジ径が前記ナット部材のネジ孔に遊嵌挿通できる大きさとなっていることを特徴とするユニット吊上げ金具を提供することにより、上記目的を達成したものである（請求項１記載の発明）。
【００１０】
そして、本発明のユニット吊上げ金具によれば、前記両ネジボルト部材の下方雄ネジ部と上方雄ネジ部とが逆ネジとなっていることが好ましい（請求項２記載の発明）。
【００１１】
また、本発明のユニット吊上げ金具によれば、前記ベースプレート部材は、これの端縁部からＬ字形状に垂直に折曲がって延設される垂直プレート部を備え、前記ベースプレート部材は、前記住宅ユニットの縦枠部材の上端部側面に前記垂直プレート部を添設固定しつつ、前記上枠部材の下面に沿って設けられることが好ましい（請求項３記載の発明）。
【００１２】
さらに、本発明のユニット吊上げ金具によれば、前記ベースプレート部材の垂直プレート部が垂直に折曲がって接合された状態を補強する垂直補強リブが、前記ベースプレート部材の側縁部と前記垂直プレート部の側縁部とに跨って取り付けられていることが好ましい（請求項４記載の発明）。
【００１３】
さらにまた、本発明のユニット吊上げ金具によれば、前記両ネジボルト部材の前記下方雄ネジ部よりも上方部分には、前記下方雄ネジ部が前記ナット部材に螺合される前の状態において、前記上方雄ネジ部を前記ネジ孔に遊嵌挿通した前記両ネジボルト部材の落下を防止する、係止部材が取り付けられていることが好ましい（請求項５記載の発明）。
【００１４】
そして、本発明は、上記いずれかのユニット吊上げ金具を用いた吊上げ構造であって、前記住宅ユニットを構成する上枠部材の下面に沿って設けられた前記ベースプレート部材に一体固定されたナット部材のネジ孔に、前記両ネジボルト部材の上方雄ネジ部を下方から挿入して、前記下方雄ネジ部を前記ナット部材に螺合することにより、前記上方雄ネジ部を前記上枠部材の上方に突出させ、該上枠部材の上方に突出させた上方雄ネジ部に吊上げ係止部材を取り付けて、該吊上げ係止部材を介して住宅ユニットを吊上げることを特徴とするユニット吊上げ構造を提供することにより、上記目的を達成したものである（請求項６記載の発明）。
【００１５】
また、本発明のユニット吊上げ構造によれば、前記ナット部材のネジ孔に前記両ネジボルト部材の上方雄ネジ部を下方から挿入すると共に、前記下方雄ネジ部を前記ナット部材に螺合することなく且つ前記両ネジボルト部材が落下しないように係止した状態で、前記住宅ユニットを建築施工現場に搬入し、前記上枠部材の上方から前記上方雄ネジ部を引き上げつつ前記下方雄ネジ部を前記ナット部材に螺合することにより、前記上方雄ネジ部を前記上枠部材の上方に突出させるようにすることが好ましい（請求項７記載の発明）。
【００１６】
【発明の実施の形態】
以下本発明の好ましい実施形態を添付図面を参照しつつ詳細に説明する。本実施形態によれば、図１に示すように、例えば枠組壁工法によるユニット住宅を構成する、予め工場等において製作された住宅ユニット１０を、建築施工現場において吊り上げて、他の住宅ユニットと接合一体化してユニット住宅を形成するべく所定の組立位置に設置する際に、本発明のユニット吊上げ金具及びユニット吊上げ構造を採用したものである。
【００１７】
本実施形態によれば、住宅ユニット１０は、矩形形状の床パネル１１の一対の短辺部及び一方の長辺部から立設して壁パネル１２，１３が設けられるものであり、一対の短辺部から立設する壁パネル１２の上端部には、これの両端部分に配置されて、図２に示すように、本実施形態のユニット吊上げ金具１４が、壁パネル１２の壁枠組みを構成する縦枠部材１５及び上枠部材１６に固定して取り付けられている。また、上枠部材１６の上方に突出させた吊上げ金具１４の両ネジボルト１７の上方雄ネジ部１８に、ハット形断面支持金具１９とシャックル金具２０とからなる吊上げ係止部材２１を取り付け、この吊上げ係止部材２１に吊りワイヤ２２（図１参照）を係止して、当該吊上げ係止部材２１を介して吊りワイヤ２２により住宅ユニット１０を吊上げることができるようになっている。
【００１８】
そして、本実施形態のユニット吊上げ金具１４は、上述のように住宅ユニット１０に取り付けて当該住宅ユニット１０を吊上げる際に使用する吊上げ金具であって、図３（ａ）にも示すように、住宅ユニット１０を構成する上枠部材１６の下面に沿って設けられ、ナット部材２３が一体固定されたベースプレート部材２４と、下方雄ネジ部２５及び上方雄ネジ部１８を有し、下方雄ネジ部２５をナット部材２３に螺合して上方雄ネジ部１８を上枠部材１６の上方に突出させる両ネジボルト部材１７とからなり、且つ下方雄ネジ部２５のネジ径が上方雄ネジ部１８のネジ径よりも大きくなっていると共に、上方雄ネジ部１８のネジ径がナット部材２３のネジ孔２６に遊嵌挿通できる大きさとなっている。
【００１９】
本実施形態のユニット吊上げ金具１４を構成するベースプレート部材２４は、例えば厚さ１〜１０ｍｍ程度の金属プレートを曲折加工することによって形成されるものであって、例えば幅１０〜１２０ｍｍ程度、長さ５０〜２００ｍｍ程度の大きさの矩形形状のベースプレート部２７と、該ベースプレート部２７の一短辺の端縁部から垂直に折れ曲がり、ベースプレート部２７と一体となってＬ字形状の断面を形成する、例えば幅１０〜１２０ｍｍ程度、長さ５０〜３００ｍｍ程度の大きさの矩形帯状の垂直プレート部２８とからなる。
【００２０】
また、本実施形態によれば、ベースプレート部材２４のベースプレート部２７の内側面（下面）には、当該ベースプレート部２７と略同様の大きさの中央プレート２９の両側縁部から垂直補強リブ３０が垂直に折り曲げて設けられたコの字断面補強部材３１が、中央プレート２９をベースプレート部２７に二重に重ねるように接合することによって取り付けられている。コの字断面補強部材３１は、両側の垂直補強リブ３０の各内側端面３２を、垂直プレート部２８の基端部分における側縁部に各々当接接合させることにより、垂直補強リブ３０が、ベースプレート部材２４のベースプレート部２７の側縁部と垂直プレート部２８の側縁部とに跨って取り付けられることになり、これによって、ベースプレート部２７に対して垂直プレート部２８が垂直に折曲がって接合された状態を強固に補強している。
【００２１】
さらに、本実施形態によれば、コの字断面補強部材３１の中央プレート２９の内側面（下面）には、ナット部材２３が溶着固定されて取り付けられており、これによってナット部材２３は、当該コの字断面補強部材３１を介してベースプレート部材２４に一体固定されることになる。また固定されたナット部材２３のネジ孔２６と同心円状となるように、コの字断面補強部材３１の中央プレート２９とベースプレート部材２４のベースプレート部２７とを貫通して挿通孔３３が開口形成されており、下方から雌ネジナット部材２３のネジ孔２６に遊嵌挿通される両ネジボルト部材１７の上方雄ネジ部１８を当該挿通孔３３を介して上枠部材１６に貫通形成した貫通孔３４（図２参照）に挿入させ、上方雄ネジ部１８の上端部を上枠部材１６の上方に突出させることができるようになっている。
【００２２】
なお、本実施形態よれば、雌ネジナット部材２３のネジ孔２６は例えば５〜３０ｍｍ程度のネジ径を有すると共に、ベースプレート部材２４の挿通孔３３は　例えば４〜２８ｍｍ程度の孔径を有しており、また上枠部材１６の貫通孔３４は例えば４〜３０ｍｍ程度の孔径を有しいる。そしてベースプレート部材２４の挿通孔３３の孔径は、雌ネジナット部材２３のネジ孔２６の孔径よりも小さくなっており、また上枠部材１６の貫通孔３４の孔径は、雌ネジナット部材２３のネジ孔２６の孔径よりも小さく且つベースプレート部材２４の挿通孔３３の孔径よりも大きくなっている。
【００２３】
さらに、本実施形態によれば、ベースプレート部材２４の垂直プレート部２８、及び重ね合わされた中央プレート２９とベースプレート部２７には、適宜箇所に複数のビス孔３５が穿設されており、これらのビス孔３５に固定ビス３６を打ち込むことにより、垂直プレート部２８は縦枠部材１５の上端部側面に沿って強固に添設固定されると共に、ベースプレート部２７は、上枠部材１６の下面に沿って強固に取り付けられることになる。
【００２４】
本実施形態のユニット吊上げ金具１４を構成する両ネジボルト部材１７は、例えば４〜２８ｍｍ程度の太さの丸鋼３７の下端部に、ナット部材２３のネジ径と同様の５〜３０ｍｍ程度のネジ径を有する下方雄ネジ部２５を一体接合した、２段構造を有するボルト部材であって、丸鋼３７の上方２／３程度の領域には、４〜２８ｍｍ程度のネジ径の上方雄ネジ部１８が形成されている。また、下方雄ネジ部２５は例えば５〜３０ｍｍ程度の長さを有すると共に、丸鋼３７は例えば５０〜５００ｍｍ程度の長さを有しており、下方雄ネジ部２５の上端部がベースプレート部材２４の挿通孔３３の周縁部に当接して螺合が阻止されるまで両ネジボルト１７をナット部材２３に締着した際に、上方雄ネジ部１８が上枠部材１６の上面から例えば３０〜１５０ｍｍ程度上方に突出するようになっている。
【００２５】
また、本実施形態によれば、例えば後述する住宅ユニット１０にユニット吊上げ金具１４の両ネジボルト部材１７を取り付けた状態で住宅ユニット１０を建築施工現場に搬入する場合等において、ナット部材２３のネジ孔２６に上方雄ネジ部１８が遊嵌挿通された両ネジボルト部材１７の落下を防止するための、例えば図３（ｂ）に示すような係止スリーブ３８を係止部材として上方雄ネジ部１８に取り付けて、ユニット吊上げ金具１４を用いることもできる。
【００２６】
すなわち、係止スリーブ３８は、内周面に両ネジボルト部材１７の上方雄ネジ部１８と螺合する雌ネジが形成されていると共に、その外径が、ベースプレート部材２４の挿通孔３３の孔径よりも大きく、且つ上枠部材１６の貫通孔３４の孔径よりも小さくなっている円筒形状のスリーブ部材である。係止スリーブ３８は、ナット部材２３のネジ孔２６に遊嵌挿通されると共に上枠部材１６の貫通孔３４に挿入された上方雄ネジ部１８に螺合装着されて用いられる。係止スリーブ３８を上方雄ネジ部１８に螺合装着することによって、下方雄ネジ部２５がナット部材２３に螺合される前の状態において、係止スリーブ３８を、ベースプレート部材２４の挿通孔３３の上面側縁部に当接係止させて、ネジ孔２６に上方雄ネジ部１８が遊嵌挿通された両ネジボルト部材１７の落下を防止できるようになっている。
【００２７】
本実施形態によれば、建築施工現場に搬入された住宅ユニット１０を吊り上げる際には、例えば図４（ａ），（ｂ）に示すように、上枠部材１６の下方から、両ネジボルト部材１７の上方雄ネジ部１８を上方に向けて、当該上方雄ネジ部１８をナット部材２３のネジ孔２６に遊嵌挿通すると共に、ベースプレート部材２４の挿通孔３３及び上枠部材１６の貫通孔３４に挿入し、その上端を挿通孔３３から上枠部材１６の上方に僅かに突出させる（図４（ａ）参照）。次に、上枠部材１６の上方から、突出した上方雄ネジ部１８を摘んで両ネジボルト部材１７を引き上げつつ、両ネジボルト部材１７を回転させれば、下方雄ネジ部２５が上方雄ネジ部１８によって案内されつつナット部材２３のネジ孔２６にスムーズに螺合され、両ネジボルト部材１７は、その上端部分を上枠部材１６から上方に突出した状態で容易且つ強固に締着固定されることになる（図４（ｂ）参照）。
【００２８】
両ネジボルト部材１７をベースプレート部材２４に締着固定したら、上述のように、上枠部材１６の上方に突出させた上方雄ネジ部１８に吊上げ係止部材２１を取り付け（図２参照）、この吊上げ係止部材２１に吊りワイヤ２２（図１参照）を係止して、住宅ユニット１０の吊上げ作業を迅速に行うことが可能になる。すなわち、本実施形態によれば、上枠部材２１の下面に取付けられたナット部材２３に吊上げ用のボルト部材１７を容易且つスムーズに締着固定して、住宅ユニット１０の吊上げ作業を迅速に行うことが可能になる。
【００２９】
また、本実施形態によれば、ベースプレート部材２４と両ネジボルト部材１７とからなるユニット吊上げ金具１４を、ユニット連結金具として用いることもできる。すなわち、例えば所定の位置に設置された住宅ユニット１０から吊上げ係止部材２１を取り外した後、図４（ｂ）に示すように、上方に設置される住宅ユニットの下枠部材３９を上枠部材２１の上面に重ねて設置し、下枠部材３９の上方に突出する上方雄ネジ部１８を、上方の住宅ユニットに取り付けた例えば羽子板ボルト等の連結金具と連結することにより、容易に上下の住宅ユニットを連結一体化することが可能になる。
【００３０】
ここで、両ネジボルト部材１７の上方雄ネジ部１８と下方雄ネジ部２５とを逆ネジとしておくことにより、上方雄ネジ部１８を上方の住宅ユニットの連結金具に締結する際や、上方雄ネジ部１８を吊上げ係止部材２１に締結する際に、両ネジボルト部材１７が共廻りするのを効果的に回避することが可能になる。また、ナット部材２３のネジ孔２６への下方雄ネジ部２５の螺合は、ネジ孔２６よりも孔径の小さいベースプレート部材２４の挿通孔３３の周縁部に下方雄ネジ部２５の上端が当接して阻止されることから、丸鋼３７や上方雄ネジ部１８の長さを予め設定しておくことにより、上枠部材２１や下枠部材３９から上方雄ネジ部１８を精度良く突出させることが可能になると共に、突出高さを調整する作業を省略させることが可能になる。
【００３１】
また、本実施形態によれば、上述の係止スリーブ３８を用いることにより、下方雄ネジ部２５をナット部材２３に螺合することなく且つ両ネジボルト部材１７が落下しないように係止した状態で、住宅ユニット１０に当該両ネジボルト部材１７を予め取り付けたまま、住宅ユニット１０を搬入することができる。すなわち、例えば図５（ａ）〜（ｃ）に示すように、上枠部材１６の下方から、両ネジボルト部材１７の上方雄ネジ部１８をナット部材２３のネジ孔２６に遊嵌挿通すると共に、さらに上方雄ネジ部１８をベースプレート部材２４の挿通孔３３及び上枠部材１６の貫通孔３４に挿入し、上枠部材１６の上方に突出させて、これの上端部分から係止スリーブ３８を螺合装着する（（ａ），（ｂ）参照）。
【００３２】
しかる後に、下方雄ネジ部２５をナット部材２３のネジ孔２６に螺合することなく手を離せば、係止スリーブ３８が装着された上方雄ネジ部１８は、上枠部材１６の貫通孔３４に落下し、係止スリーブ３８の下端を、ベースプレート部材２４の挿通孔３３の上面側縁部に当接係止させて、両ネジボルト部材１７が落下しない状態を保持する（（ｃ）参照）。この状態では、両ネジボルト部材１７の上方雄ネジ部１８は、上枠部材１６の上方に殆ど突出することなく上枠部材１６の貫通孔３４に略納まることになるので、両ネジボルト部材１７によって住宅ユニット１０の高を制約することなく、かつ両ネジボルト部材１７を破損させることなく、両ネジボルト部材１７を住宅ユニット１０に予め取付けて住宅ユニット１０を運搬することが可能になる。
【００３３】
ここで、上方雄ネジ部１８に対する係止スリーブ３８の螺合位置を調整することにより、上枠部材１６の貫通孔３４に収容される上方雄ネジ部１８の突出高さを適宜調節することができる他、上方雄ネジ部１８の上方部分の全体を上枠部材１６の貫通孔３４に納めておくこともできるが、上方雄ネジ部１８の上端を手で摘める程度に上枠部材１６から僅かに突出させておくことにより、住宅ユニット１０を建築施工現場に搬入した後の、両ネジボルト部材１７を引き上げつつ回転させて下方雄ネジ部２５をナット部材２３のネジ孔２６に螺合する作業を、よりスムーズに行うことが可能になる。
【００３４】
そして、住宅ユニット１０が建築施工現場に搬入されたら、係止スリーブ３８を適宜取り外して、上述の作業と同様に、上枠部材１６の上方から上方雄ネジ部１８の上端を摘んで両ネジボルト部材１７を引き上げつつ、両ネジボルト部材１７を回転させることにより、両ネジボルト部材１７は、下方雄ネジ部２５をナット部材２３のネジ孔２６にスムーズに螺合させて、その上端部分を上枠部材１６から上方に突出した状態で容易且つ強固に締着固定されることになる。
【００３５】
なお、本発明は上記実施形態に限定されることなく種々の変更が可能である。例えば、本発明は枠組壁工法による住宅ユニットに限定されることなく、在来軸組工法による住宅ユニット等、その他の種々の住宅ユニットを吊上げるべく用いることができる。また、ベースプレート部材に垂直プレート部を延設させて用いる必要は必ずしもなく、例えば上枠部材の中間部分等において、縦枠部材に垂直プレート部を添設することなく、ベースプレート部材のみを上枠部材の下面に沿って設けて用いることもできる。さらに、垂直補強リブは必ずしも設ける必要はない。さらにまた、両ネジボルト部材の落下を防止する係止部材として上述の係止スリーブを用いる必要は必ずしもなく、例えばベースプレート部材の挿通孔に合成樹脂製のフックリングを取り付けて、係止部材とすることもできる。
【００３６】
【発明の効果】
本発明のユニット吊上げ金具及びユニット吊上げ構造によれば、上枠部材の下面に取付けられたナット部材に吊上げ用のボルト部材を容易且つスムーズに締着固定して、住宅ユニットの吊上げ作業を迅速に行うことができる。また、係止部材を介して両ネジボルト部材が落下しないように住宅ユニットに取り付けておくことにより、住宅ユニットの高を制約することなく、吊上げ用のボルト部材を住宅ユニットに予め取付けて住宅ユニットを運搬することが可能になる。
【図面の簡単な説明】
【図１】本発明の一実施形態に係るユニット吊上げ金具及びユニット吊上げ構造が採用される、住宅ユニットの吊上げ状況を説明する略示斜視図である。
【図２】本発明の一実施形態に係るユニット吊り上げ金具に吊上げ係止部材を取り付けた状況を説明する部分拡大側面図である。
【図３】（ａ）は、本発明の一実施形態に係るユニット吊上げ金具の構成を説明する斜視図、（ｂ）は、係止スリーブ（係止部材）の斜視図である。
【図４】（ａ），（ｂ）は、両ネジボルト部材をベースプレート部材のナット部材に締着固定する状況を説明する部分透視斜視図である。
【図５】（ａ）〜（ｃ）は、両ネジボルト部材を予め取り付けたまま住宅ユニットを搬入する状況を説明する略示断面図である。
【符号の説明】
１０　住宅ユニット
１４　ユニット吊上げ金具
１５　縦枠部材
１６　上枠部材
１７　両ネジボルト部材
１８　上方雄ネジ部
２１　吊上げ係止部材
２２　吊りワイヤ
２３　ナット部材
２４　ベースプレート部材
２５　下方雄ネジ部
２６　ナット部材のネジ孔
２７　ベースプレート部
２８　垂直プレート部
３０　垂直補強リブ
３１　コの字断面補強部材
３３　ベースプレート部の挿通孔
３４　上枠部材の貫通孔
３７　丸鋼
３８　係止スリーブ（係止部材）
【図１】
2004124396.tif 000003
【図２】
2004124396.tif 000004
【図３】
2004124396.tif 000005
【図４】
2004124396.tif 000006
【図５】
2004124396.tif 000007